(57)【要約】【課題】耐久限度を報知することで使い勝手を向上させる電子血圧計を提供する。【解決手段】血圧計では、測定動作ごとの加圧過程での最大加圧値が累積して記憶され、測定動作が開始すると、記憶されている総印加圧力と予め設定されている耐久限度に応じた印加圧力のしきい値と比較される（Ｓ１０５）。総印加圧力がしきい値を越えている場合（Ｓ１０５でＮＯ）、該血圧計の使用が耐久限度に達しているとしてその旨が報知される（Ｓ１２５）。【選択図】図２
2011200290.tif 000002
【特許請求の範囲】
【請求項１】
被験者の血圧値を測定するための電子血圧計であって、
流体袋と、
前記流体袋を加減圧するための調整手段と、
前記流体袋の内圧変化に基づいて血圧値を算出する演算を行なうための演算手段と、
当該電子血圧計での測定動作のうちの当該電子血圧計に含まれる部品に対する負荷を生じる動作についての動作量から得られる当該電子血圧計の使用量を積算することで、ある時点からの前記使用量の積算値を記憶するための記憶手段と、
前記使用量の積算値が予め設定されているしきい値に達しているか否かを判断するための判断手段とを備える、電子血圧計。
【請求項２】
前記使用量は、測定動作に要する時間および測定時の前記流体袋の最大加圧値の少なくとも１つを含む、請求項１に記載の電子血圧計。
【請求項３】
前記使用量の積算値が前記しきい値に達している旨を報知するための報知手段をさらに備える、請求項１または２に記載の電子血圧計。
【請求項４】
前記測定動作の開始の指示を受付けるための指示手段をさらに備え、
前記報知手段は、前記指示手段で前記指示を受付けた後、前記測定動作の開始前に前記しきい値に達している旨を報知する、請求項３に記載の電子血圧計。
【請求項５】
複数の部品を含み、
前記記憶手段は部品ごとに前記使用量の積算値を記憶し、
前記判断手段は、前記部品ごとの使用量の積算値が前記部品ごとに予め設定されているしきい値に達しているか否かを判断する、請求項１〜４のいずれかに記載の電子血圧計。
【請求項６】
前記しきい値は、複数種類の使用量で規定される、請求項１〜５のいずれかに記載の電子血圧計。
【請求項７】
前記判断手段は、予め設定されているしきい値を環境条件で補正する手段を含む、請求項１〜６のいずれかに記載の電子血圧計。
【請求項８】
電子血圧計の状態を判定する方法であって、
前記電子血圧計で測定動作が実行されると、前記測定動作のうちの前記電子血圧計に含まれる部品に対する負荷を生じる動作についての動作量から得られる前記電子血圧計の使用量を記憶装置に格納するステップと、
前記記憶装置に格納された、ある時点からの前記使用量の積算値と、予め設定されているしきい値とを比較することで、前記使用量の積算値が前記しきい値に達しているか否かを判断するステップとを含む、判定方法。
【発明の詳細な説明】
【技術分野】
【０００１】
この発明は電子血圧計および判定方法に関し、特に、使い勝手のよい電子血圧計および当該電子血圧計の状態についての判定方法に関する。
【背景技術】
【０００２】
日常の健康管理として、血圧値を日々測定し、管理することが重要である。そのため、家庭向けの血圧計が普及している。家庭向けの血圧計では、血圧が測定できないなどの機器の故障、不具合があった場合はもとより、使用者が機器の測定精度に不安があった場合にも、メーカの送付し点検されている。
【０００３】
従来の電子血圧計として、たとえば特開２００９−１６０１０４号公報は、使用回数または使用時間が所定のしきい値以上になった場合に、測定を中止することができる装置を開示している。
【先行技術文献】
【特許文献】
【０００４】
【特許文献１】特開２００９−１６０１０４号公報
【発明の概要】
【発明が解決しようとする課題】
【０００５】
しかしながら、血圧計は圧力・減圧を繰り返して用いる装置であるため、その使用条件によっては、所定のしきい値で設定される使用回数に達する前に部品が消耗して使用不能となってしまい、使い勝手を損なう場合もある。または、部品が消耗するよりも以前にしきい値で設定される使用回数に達することで、実際の使用が可能であるにも関わらず使用が中止となってしまい、使い勝手を損なう場合もある。
【０００６】
本発明はこのような問題に鑑みてなされたものであって、状態を報知することで使い勝手を向上させる電子血圧計および電子血圧計の状態についての判定方法を提供することを目的としている。
【課題を解決するための手段】
【０００７】
上記目的を達成するために、本発明のある局面に従うと、電子血圧計は被験者の血圧値を測定するための電子血圧計であって、流体袋と、流体袋を加減圧するための調整手段と、流体袋の内圧変化に基づいて血圧値を算出する演算を行なうための演算手段と、当該電子血圧計での測定動作のうちの当該電子血圧計に含まれる部品に対する負荷を生じる動作についての動作量から得られる当該電子血圧計の使用量を積算することで、ある時点からの使用量の積算値を記憶するための記憶手段と、使用量の積算値が予め設定されているしきい値に達しているか否かを判断するための判断手段とを備える。
【０００８】
好ましくは、使用量は、測定動作に要する時間および測定時の流体袋の最大加圧値の少なくとも１つを含む。
【０００９】
好ましくは、電子血圧計は、使用量の積算値がしきい値に達している旨を報知するための報知手段をさらに備える。
【００１０】
より好ましくは、電子血圧計は測定動作の開始の指示を受付けるための指示手段をさらに備え、報知手段は、指示手段で上記指示を受付けた後、測定動作の開始前にしきい値に達している旨を報知する。
【００１１】
好ましくは、電子血圧計は複数の部品を含み、記憶手段は部品ごとに使用量の積算値を記憶し、判断手段は、部品ごとの使用量の積算値が部品ごとに予め設定されているしきい値に達しているか否かを判断する。
【００１２】
好ましくは、上記しきい値は、複数種類の使用量で規定される。
好ましくは、判断手段は、予め設定されているしきい値を環境条件で補正する手段を含む。
【００１３】
本発明の他の局面に従うと、判定方法は電子血圧計の状態を判定する方法であって、電子血圧計で測定動作が実行されると、測定動作のうちの電子血圧計に含まれる部品に対する負荷を生じる動作についての動作量から得られる電子血圧計の使用量を記憶装置に格納するステップと、記憶装置に格納された、ある時点からの使用量の積算値と、予め設定されているしきい値とを比較することで、使用量の積算値がしきい値に達しているか否かを判断するステップとを含む。
【発明の効果】
【００１４】
この発明によると、電子血圧計において製品寿命を精度高く報知することができる。
【図面の簡単な説明】
【００１５】
【図１】実施の形態にかかる血圧計の構成の具体例を示すブロック図である。
【図２】実施の形態にかかる血圧計での動作の具体例を示すフローチャートである。
【図３】血圧計での耐久限度として規定されたしきい値に達したか否かの判断について説明する図である。
【図４】実施の形態にかかる血圧計での動作の他の具体例を示すフローチャートである。
【図５】実施の形態にかかる血圧計での動作の一部についての、他の具体例を示すフローチャートである。
【図６】実施の形態にかかる血圧計での動作の一部についての、他の具体例を示すフローチャートである。
【発明を実施するための形態】
【００１６】
以下に、図面を参照しつつ、本発明の実施の形態について説明する。以下の説明では、同一の部品および構成要素には同一の符号を付してある。それらの名称および機能も同じである。
【００１７】
図１を参照して、実施の形態にかかる電子血圧計（以下、血圧計と略する）１は、空気袋であるカフ５と本体部２とを含み、これらがエアチューブ１０で接続されている。本体部２の正面には表示部４と操作部３とが配される。操作部３は、電源のＯＮ／ＯＦＦ、測定動作の開始／停止などの操作に用いられるためのスイッチ３１と、被測定者を選択する操作に用いられるためのスイッチ３２とを含む。
【００１８】
血圧計１における測定では、測定動作が開始するとカフ５が加圧され、カフ５が装着された上腕等の測定部位が圧迫される。カフ５の内圧が被測定者の最高血圧以上である所定の圧力まで加圧がなされた後、カフ５の内圧が徐々に減圧され、その過程においてカフ５の内圧変化に基づいて被測定者の血圧値が算出される。
【００１９】
さらに図１を参照して、血圧計１の本体部２には、カフ５とエアチューブ１０で接続される圧力センサ２３、ポンプ２１、および弁２２が含まれる。圧力センサ２３は発振回路２４に接続される。ポンプ２１は駆動回路２６に接続され、弁２２は駆動回路２７に接続される。
【００２０】
発振回路２４、駆動回路２６、および駆動回路２７は、血圧計１全体を制御するためのＣＰＵ（Central  Processing  Unit）４０に接続される。ＣＰＵ４０には、さらに、表示部４と、操作部３と、処理用のメモリ６と、記録用のメモリ７と、電源２５と、時計２８と、センサ２９とが接続される。
【００２１】
処理用のメモリ６は、ＣＰＵ４０で実行される制御プログラムなどを記憶する。さらに、処理用のメモリ６は、ＣＰＵ４０がプログラムを実行する際の作業領域ともなる。記録用のメモリ７は後述するカウンタを含む。
【００２２】
ＣＰＵ４０は、電源２５から電力供給を受けて駆動する。ＣＰＵ４０は、操作部３から入力される操作信号に基づいてメモリ６に記憶されている所定のプログラムを実行し、駆動回路２６および駆動回路２７に制御信号を出力する。駆動回路２６および駆動回路２７は、制御信号に従ってポンプ２１および弁２２を駆動させる。ポンプ２１は、ＣＰＵ４０からの制御信号に従った駆動回路２６によって駆動が制御されて、カフ５内に空気を注入する。弁２２は、ＣＰＵ４０からの制御信号に従った駆動回路２７によってその開閉が制御されて、カフ５内の空気を排出する。
【００２３】
圧力センサ２３は静電容量形の圧力センサであり、カフ５の内圧変化により容量値が変化する。発振回路２４は、圧力センサ２３の容量値に応じた発振周波数の信号をＣＰＵ４０に入力する。ＣＰＵ４０は、圧力センサ２３から得られたカフ５の内圧変化に基づいて所定の処理を実行し、その結果に応じて駆動回路２６および駆動回路２７に上記制御信号を出力する。また、ＣＰＵ４０は、圧力センサ２３から得られたカフ５の内圧変化に基づいて血圧値を算出し、測定結果を表示部４に表示させるための処理を行ない、表示させるためのデータと制御信号とを表示部４に出力する。また、ＣＰＵ４０は、血圧値をメモリ７に記憶させるための処理を行なう。
【００２４】
センサ２９は温度や湿度を検出するためのセンサであり、温度や湿度に応じた信号をＣＰＵ４０に入力する。
【００２５】
時計２８は時間信号をＣＰＵ４０に入力する。
ＣＰＵ４０は、判断部４１、報知処理部４２、およびカウント処理部４３を含む。これらは、ＣＰＵ４０が操作部３からの操作信号に従ってメモリ６に記憶される上記制御プログラムを読み出して実行することで、主にＣＰＵ４０に形成される機能であるが、少なくともこれら機能のうちの一部が、図１に示されたハードウェア構成で形成されてもよい。
【００２６】
判断部４１は、後述するカウント処理部４３でのカウント開始時点からの血圧計１の使用量の積算値が予め耐久限度として規定された使用量の積算値のしきい値に達しているか否かを判断し、その判断結果に応じた信号を報知処理部４２およびまたはカウント処理部４３に入力する。以下、上述の使用量の積算値のしきい値を「耐久限度」とも言う。
【００２７】
ここで、「使用量」とは血圧計１での動作のうち血圧計１のいずれかの構成部材に対して負荷を生じせしめる動作による、その負荷を換算し得る動作量を指し、具体例としては、後述するような、カフ５への印加圧力や、測定時間や、測定時間のうちの加圧に要した時間、などが挙げられる。また、「使用量の積算値」とは、１回、または所定回数の血圧計１の動作による使用量をカウント開始時点から蓄積し、それらを積算して得られる値を指し、たとえば、使用量がカフ５への印加圧力である場合にはカウント開始時点から現時点までの動作ごとの実際の印加圧力の値を蓄積し、それらの積算値である総印加圧力が該当し、使用量が測定時間である場合にはカウント開始時点から現時点までの動作ごとの実際の測定時間を蓄積し、それらの積算値である総測定時間が該当し、使用量が測定時間のうちの加圧に要した時間するである場合にはカウント開始時点から現時点までの動作ごとの実際の測定時間のうちの加圧に要した時間を蓄積し、それらの積算値が該当する。
【００２８】
カウント処理部４３は判断部４１における上記判断に用いられる血圧計１の使用量を、カウント開始時点からメモリ７のカウンタを用いてカウントして蓄積し、その積算値を得るための処理を行なう。また、カウント処理部４３は、判断部４１において使用量の積算値が耐久限度として規定されたしきい値に達したと判断されると、対応するカウンタをリセットするための処理を行ない、再び、その時点からの使用量を蓄積する。従って、判断部４１において使用量の積算値が耐久限度として規定されたしきい値に達したと判断された時点がカウント処理部４３でのカウント開始時点と言える。なお、カウンタのリセットは判断部４１において使用量の積算値が耐久限度として規定されたしきい値に達したと判断されたときになされるのに限定されず、たとえば図示しないリセットスイッチなどが操作されたことなどの応じてなされてもよい。従って、カウント処理部４３でのカウント開始時点も、たとえばリセットスイッチが操作された時点などであってもよい。
【００２９】
報知処理部４２は判断部４１において使用量の積算値が耐久限度として規定されたしきい値に達したと判断されると、その旨をたとえば表示部４に表示するなどして報知するための処理を行なう。
【００３０】
図２を用いて血圧計１の動作を説明する。図２のフローチャートに示される動作は、スイッチ３１が押下されてＣＰＵ４０に電源２５から電力が供給され、処理用のメモリ６に記憶される制御プログラムを読み出して図１に示される各部を制御することによって実現される。
【００３１】
図２を参照して、動作が開始するとＣＰＵ４０はステップＳ１０１で各部を初期化した後、判断部４１においてメモリ７に記憶されているカウンタと予め記憶しているしきい値とを比較し、血圧計１の使用量の積算値が予め耐久限度として規定されたしきい値に達しているか否かを判断する。
【００３２】
ここで用いる使用量の一例としてカフ５への「印加圧力」が挙げられる。血圧計１では血圧測定のためにカフ５をいったん最大加圧値まで加圧し、その後、徐々に減圧しつつ減圧過程でのカフ５の圧力変化に基づいて血圧値が算出される。上記最大加圧値は予め規定されているものであってもよいし、加圧過程において予測される被測定者の最高血圧値に所定圧力（たとえば４０ｍｍＨｇ）加えた圧力が採用されてもよい。「印加圧力」である使用量の積算値である「総印加圧力」は測定ごとの上記最大加圧値を蓄積してそれらを加算して得られる値を指し、メモリ７のカウンタを用いてカウントされる。
【００３３】
メモリ７のカウンタでカウントされた総印加圧力Ｐが予め記憶されているしきい値Ｐｔよりも小さい場合には（ステップＳ１０５でＹＥＳ）、ＣＰＵ４０は判断部４１において血圧計１の使用量の積算値が予め耐久限度として規定されたしきい値には達していないと判断し、ステップＳ１０７で駆動回路２６に対して制御信号を出力し、予め規定されている所定の加圧速度でカフ５を加圧させる。
【００３４】
以降、通常の電子血圧計での測定動作が行なわれる。すなわち、カフ５の内圧が上述の最大加圧値に達するまでステップＳ１０７の加圧が継続されて、カフ５の内圧が最大加圧値に達すると（ステップＳ１０９でＹＥＳ）、ステップＳ１１１でＣＰＵ４０は加圧制御を終了する。
【００３５】
このとき、ステップＳ１１３でＣＰＵ４０はカウント処理部４３によって、上記最大加圧値をメモリ７のカウンタでカウントする。ここでは、最大加圧値自体を記憶させてもよいし、カウンタを用いて先のカウント値に今回の最大加圧値を加算し、メモリ７に積算値を記憶させてもよい。
【００３６】
その後、ステップＳ１１５でＣＰＵ４０はカフ５の減圧を開始させ、ステップＳ１１７で減圧中に得られるカフ５の内圧に重畳した動脈の容積変化に伴う振動成分を抽出し、所定の演算により血圧値を算出する。ステップＳ１１７の算出処理において血圧値が決定されると（ステップＳ１１９でＹＥＳ）、ステップＳ１２１でＣＰＵ４０は算出された最高血圧値および最低血圧値を測定結果として表示部４で表示するための処理を行なう。さらにステップＳ１２３で、ＣＰＵ４０は駆動回路２６，２７に制御信号を出力してカフ５内の圧力を大気圧に開放し、一連の測定動作を終了させる。
【００３７】
一方、メモリ７のカウンタでカウントされた総印加圧力Ｐが予め記憶されているしきい値Ｐｔよりも大きい場合には（ステップＳ１０５でＮＯ）、ＣＰＵ４０は判断部４１において血圧計１の使用量の積算値が予め耐久限度として規定されたしきい値には達していると判断し、ステップＳ１２５で報知処理部４２において、たとえば表示部４にその旨を表示するなどして報知させるための処理を実行する。
【００３８】
図２の例では、ステップＳ１２５の報知の後、ステップＳ１０７以降の動作を行なうことなく測定動作を終了させるものとしている。そのようにすることで、使用量の積算値が耐久限度として規定されたしきい値に達した状態の血圧計１にて血圧測定が行なわれることなく、測定精度を確保することができる。
【００３９】
しかしながら、他の例として、その旨を報知した上でステップＳ１０７以降の動作を行なわせ、通常と同様の測定動作を行なうようにしてもよい。この場合、好ましくは、ＣＰＵ４０は、測定動作時に表示部４にその旨の表示を行なう。または好ましくは、ステップＳ１２１で測定結果としての血圧値をメモリ７に記憶させる際に、ＣＰＵ４０は当該血圧計１の使用量の積算値が耐久限度として規定されたしきい値に達した状態である旨を表わす情報も関連付けて記憶させる。このようにすることにより、測定精度を確保しつつユーザの使い勝手を向上させることができる。
【００４０】
図３を参照して、測定時の最大加圧値が１４０ｍｍＨｇで測定動作がなされる場合（直線Ａ）と２１０ｍｍＨｇで測定動作がなされる場合（直線Ｂ）とがあり、耐久限度として規定されるしきい値を表わす値として総印加圧力のしきい値Ｐｔが４０００００ｍｍＨｇと設定されているとする。このとき、直線Ａで表わされる前者の場合には測定回数がＰａ回に達した時点で総印加圧力ＰがＰｔとなるのに対して、直線Ｂで表わされる後者の場合には、測定回数がＰａ回よりも少ないＰｂ回に達した時点ですでに総印加圧力ＰがＰｔとなる。従って、耐久限度とするしきい値が単に測定回数で設定され、たとえばＰａ回と設定していた場合には直線Ｂで表わされる後者の場合はすでに規定されたしきい値を超えてしまうことになり、測定精度が落ちてしまう可能性がある。また、たとえばＰｂ回と設定していた場合には直線Ａで表わされる前者の場合は総印加圧力で規定されたしきい値に達するよりも以前で使用量の積算値が測定回数で規定されたしきい値に達したと判断され、測定動作が中止されることになり、測定者の使い勝手が悪くなる。つまり、血圧計１では実際の使用量の積算値を用いて判断されることで、製品寿命を精度高く報知することができ、測定精度を確保しつつ測定者の使い勝手も向上させることができる。
【００４１】
なお、上の例では使用量の積算値として最大加圧値を積算した総印加圧力が用いられている。しかしながら、「使用量」としては、上述のように、たとえば測定時間や測定時間のうちの加圧に要した時間を用いることもできる。これらを使用量とする場合、上述の判断には、使用量の積算値として、総測定時間Ｔまたは測定時間のうちの加圧に要した時間の総計である総加圧時間Ｔｐが用いられる。この場合、ＣＰＵ４０は測定動作ごとの測定時間または加圧時間を計時し、カウント処理部４３によって、測定時間または加圧時間をメモリ７のカウンタでカウントする。ここでは、測定時間または加圧時間自体を記憶させてもよいし、カウンタを用いて先のカウント値に今回の測定時間または加圧時間を加算し、メモリ７に積算値を記憶させてもよい。
【００４２】
使用量の積算値として総測定時間を用いた場合の動作について、図４を用いて説明する。すなわち、図４を参照して、この場合、ステップＳ１０１での初期化の後、ＣＰＵ４０は判断部４１においてメモリ７に記憶されているカウンタから得られる総測定時間Ｔと予め記憶している総測定時間のしきい値Ｔｔとを比較し、血圧計１の総測定時間Ｔが予め耐久限度として規定された総測定時間のしきい値Ｔｔに達しているか否かを判断する。
【００４３】
メモリ７のカウンタでカウントされた総測定時間Ｔが予め記憶されているしきい値Ｔｔよりも小さい場合には（ステップＳ２０５でＹＥＳ）、ＣＰＵ４０は判断部４１において血圧計１の使用量の積算値が予め耐久限度として規定されたしきい値には達していないと判断し、ステップＳ１０７で駆動回路２６に対して制御信号を出力し、予め規定されている所定の加圧速度でカフ５を加圧させる。以降、通常の電子血圧計での測定動作が行なわれる。このとき、ＣＰＵ４０は、ステップＳ１０７でカフ５の加圧を開始してからステップＳ１２３でカフ５を大気圧に開放するまでの時間を時計２８からの時間信号に基づいて計時し、ステップＳ２２７でカウント処理部４３によってメモリ７のカウンタでカウントする。
【００４４】
一方、メモリ７のカウンタでカウントされた総測定時間Ｔが予め記憶されているしきい値Ｔｔよりも大きい場合には（ステップＳ２０５でＮＯ）、ＣＰＵ４０は判断部４１において血圧計１の使用量の積算値が予め耐久限度として規定されたしきい値には達していると判断し、ステップＳ１２５で報知処理部４２において、たとえば表示部４にその旨を表示するなどして報知させるための処理を実行する。
【００４５】
使用量として総加圧時間を用いた場合も図４と同様の動作とすることができる。
このように、血圧計１では使用量として印加圧力のみでなく、その他のパラメータを用いても同様に使用量の積算値が耐久限度として規定されたしきい値に達しているか否かを判断することができる。
【００４６】
なお、たとえば総加圧時間と総印加圧力となど、複数のパラメータをそれぞれに用いて判断してもよい。複数のパラメータを用いて判断する場合、それぞれの耐久限度として規定されたしきい値に複数のパラメータのうちの一つが最も早く達した時点で、使用量の積算値が耐久限度として規定されたしきい値に達していると判断する。
【００４７】
なお、好ましくは、メモリ７には、故障の可能性や修理・交換可能な血圧計１の部品（たとえばカフ５、圧力センサ２３、ポンプ２１、等）ごとのカウンタが記憶され、カウント処理部４３はそれぞれの部品に対応した使用量、つまり、当該部品に負荷を生じせしめる動作による、その負荷を換算し得る動作量をカウントする。部品についての修理や交換は部品ごとに管理され、たとえば新たな部品を本体に接続することや所定の操作を行なうことなどによってＣＰＵ４０は修理や交換を検出することができる。修理や交換が検出されると、カウント処理部４３によって、該当する部品のカウンタがリセットされる。従って、この場合のカウント処理部４３でのカウント開始時点は部品の修理や交換が検出された時点と言える。
【００４８】
さらに、好ましくは、判断部４１は部品ごとに耐久限度としてのしきい値を記憶する。たとえば、総印加圧力Ｐを使用量のパラメータとして用いる場合、カフ５の耐久限度としてのしきい値Ｐｔとして４０００００ｍｍＨｇ、圧力センサ２３の耐久限度としてのしきい値Ｐｔとして５００００００ｍｍＨｇ、などを記憶し、判断部４１は、判断対象の部品に対応したカウンタでカウントされる総印加圧力Ｐと比較する。これにより、血圧計１では部品ごとに耐久限度として規定されたしきい値に達しているか否かを判断することができ、部品ごとの製品寿命を精度高く報知することができる。
【００４９】
［変形例１］
上の例では、判断部４１が耐久限度としてのしきい値として予め所定の値を記憶しているものとしているが、耐久限度としてのしきい値は可変であってもよい。
【００５０】
一例として、判断部４１は、しきい値と共に、環境条件としての温度と重み係数との対応関係を記憶しておき、記憶しているしきい値にそのときの温度に応じた重み係数を乗じて得られた値を耐久限度としてのしきい値として用いてもよい。すなわち、図５を参照して、ステップＳ１０１での初期化の後、ステップＳ３０１でＣＰＵ４０はセンサ２９からのセンサ信号に基づいて温度を検出し、その温度に対応付けられている重み係数を読み出す。ステップＳ３０３で判断部４１において記憶しているしきい値Ｐｔに読み出された重み係数を乗じることでしきい値が補正される。そして、判断部４１において、メモリ７に記憶されているカウンタと補正されたしきい値とが比較され、血圧計１の使用量の積算値が予め耐久限度として規定されたしきい値、つまり補正されたしきい値に達しているか否かが判断される（Ｓ１０５）。
【００５１】
同様に、環境条件として湿度や気圧などと重み係数との対応関係が記憶されていてもよいし、温度湿度の組み合わせと重み係数との対応関係が記憶されていてもよい。
【００５２】
血圧計１においてこのような処理がなされることで、環境条件を加味して耐久限度として規定されたしきい値に達したか否かが判断されることになる。たとえば、温度が高い方がより大きい重み係数を記憶させておくことで、血圧計１の使用環境が温度の高い地域である方が温度の低い地域よりもしきい値が高く設定される。このように、しきい値に、寒冷地域の方が温暖地域よりも製品寿命を短くする、という実情を反映させることができる。これにより、製品寿命をより精度高く報知することができる。
【００５３】
［変形例２］
さらに、上の例では使用量のパラメータとして印加圧力、測定時間または測定時間のうちの加圧に要した時間のいずれか一つが用いられる例が示されているが、これらのうちの複数のパラメータが複合的に用いられてもよい。
【００５４】
一例として、判断部４１は、印加圧力を使用量のパラメータとして使用量の積算値である総印加圧力Ｐが耐久限度として規定されたしきい値に達しているか否かの判断を行なう場合、総印加圧力のしきい値Ｐｔとして総測定時間Ｔの関数を記憶しておき、その関数にそのときの総測定時間Ｔを代入して得られた値をしきい値Ｐｔとして用いてもよい。すなわち、図６を参照して、ステップＳ１０１での初期化の後、ステップＳ４０１でＣＰＵ４０は判断部４１においてメモリ７に記憶されているカウンタでカウントされた総測定時間Ｔを読み出し、ステップＳ４０３で記憶されている上記関数に代入することでしきい値Ｐｔを算出する。そして、判断部４１において、メモリ７に記憶されているカウンタでカウントされた総印加圧力Ｐと算出されたしきい値Ｐｔとが比較され、血圧計１の使用量の積算値が予め耐久限度として規定されたしきい値に達しているか否かが判断される（Ｓ１０５）。
【００５５】
同様に、測定時間を使用量のパラメータとして使用量の積算値である総測定時間Ｔが耐久限度として規定されたしきい値に達しているか否かの判断を行なう場合には、総測定時間のしきい値Ｔｔとして総印加圧力Ｐの関数を記憶しておき、その関数にそのときの総印加圧力Ｐを代入して得られた値をしきい値Ｔｔとして用いてもよい。さらに、耐久限度として規定されるしきい値は、使用量として用いたパラメータに加えて、温度や湿度などの環境条件の関数であってもよい。
【００５６】
血圧計１においてこのような処理がなされることで、複数のパラメータを複合的に用いて耐久限度として規定されたしきい値に達したか否かが判断されることになる。これにより、製品寿命をより精度高く報知することができる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５８】
１  血圧計、２  本体部、３  操作部、４  表示部、５  カフ、６，７  メモリ、１０  エアチューブ、２１  ポンプ、２２  弁、２３  圧力センサ、２４  発振回路、２５  電源、２８  時計、２９  センサ、２６，２７  駆動回路、３１，３２  スイッチ、４０  ＣＰＵ、４１  判断部、４２  報知処理部、４３  カウント処理部。
【図１】
2011200290.tif 000003
【図２】
2011200290.tif 000004
【図３】
2011200290.tif 000005
【図４】
2011200290.tif 000006
【図５】
2011200290.tif 000007
【図６】
2011200290.tif 000008